(57)【要約】【課題】  バナーページ出力指定時には、フィニッシング処理の指定があった場合、バナーページはフィニッシング処理せず、原画像データに基づく画像が印刷された用紙だけをフィニッシング処理することができる機能を備えた印刷装置を提供すること。【解決手段】  バナー識別子を含むバナーページデータ及び原画像ページデータとから構成されるページデータ並びにフィニッシング処理データを含む印刷ジョブデータを受け付ける手段と、印刷ジョブデータ受付手段で受け付けた印刷ジョブデータに含まれるページデータの中からバナー識別子を含むバナーページデータ識別手段と、バナーページに対して前記フィニッシング処理部によるフィニッシング処理を禁止し、原画像ページデータに基づく画像が印刷された用紙に対して前記フィニッシング処理部によるフィニッシング処理を実行させるフィニッシング処理制御手段と、を備える。【選択図】        図１
2005250624.tif 000002
【特許請求の範囲】
【請求項１】
印刷ジョブデータを生成し、前記印刷ジョブデータに基づき用紙に画像を印刷し、且つ画像が印刷された用紙に対しフィニッシング処理する印刷システムにおいて、
原画像ページデータ及びフィニッシング処理データを含む印刷ジョブデータを生成する印刷ジョブデータ生成手段と、
前記印刷ジョブデータに対応する、バナーページ識別子を含むバナーページデータを生成するバナーページデータ生成手段と、
前記印刷ジョブデータに前記バナーページデータ生成手段で生成したバナーページデータを挿入するバナーページデータ挿入手段と、
前記バナーページデータが挿入された印刷ジョブデータを受け付けて画像を印刷する印刷処理部と、
前記印刷処理部に受け付けられた印刷ジョブデータに含まれる原画像ページデータ及びバナーページデータから構成されるページデータの中からバナーページデータを識別するバナーページデータ識別手段と、
前記フィニッシング処理データに基づき前記画像が印刷された用紙に対しフィニッシング処理するフィニッシング処理部と、
前記バナーページデータ識別手段でバナーページであると識別されたページデータに基づく画像が印刷された用紙に対して前記フィニッシング処理部によるフィニッシング処理を禁止し、原画像ページデータに基づく画像が印刷された用紙に対して前記フィニッシング処理部によるフィニッシング処理を実行させるフィニッシング処理制御手段と、
を備えてなることを特徴とする印刷システム。
【請求項２】
前記フィニッシング処理部は、前記画像が印刷された用紙に対しステープル処理するものであり、前記フィニッシング処理制御手段は、前記フィニッシング処理部によるステープル処理を制御することを特徴とする請求項１に記載の印刷システム。
【請求項３】
印刷ジョブデータを受け付けて、前記印刷ジョブデータに基づき用紙に画像を印刷する印刷処理部及び画像が印刷された用紙に対してフィニッシング処理するフィニッシング処理部を有する印刷装置において、
バナー識別子を含むバナーページデータ及び原画像ページデータとから構成されるページデータ並びにフィニッシング処理データを含む印刷ジョブデータを受け付ける印刷ジョブデータ受付手段と、
前記印刷ジョブデータ受付手段で受け付けた印刷ジョブデータに含まれるページデータの中から前記バナー識別子を含むバナーページデータを識別するバナーページデータ識別手段と、
前記バナーページデータ識別手段でバナーページであると識別されたページデータに基づく画像が印刷された用紙に対して前記フィニッシング処理部によるフィニッシング処理を禁止し、原画像ページデータに基づく画像が印刷された用紙に対して前記フィニッシング処理部によるフィニッシング処理を実行させるフィニッシング処理制御手段と、
を備えてなることを特徴とする印刷装置。
【請求項４】
前記フィニッシング処理部は、前記画像が印刷された用紙に対しステープル処理するものであり、前記フィニッシング処理制御手段は、前記フィニッシング処理部によるステープル処理を制御することを特徴とする請求項３に記載の印刷装置。
【請求項５】
印刷ジョブデータを生成し、前記印刷ジョブデータに基づき印刷加工処理及び用紙に画像を印刷する印刷システムにおいて、
原画像ページデータ及び印刷加工データを含む印刷ジョブデータを生成する印刷ジョブデータ生成手段と、
前記印刷ジョブデータに対応するバナーページ識別子を含むバナーページデータを生成するバナーページデータ生成手段と、
前記印刷ジョブデータに前記生成したバナーページデータを挿入するバナーページデータ挿入手段と、
前記バナーページデータが挿入された印刷ジョブデータを受け付けて画像を印刷する印刷処理部と、
前記印刷処理部に受け付けられた印刷ジョブデータに含まれる原画像ページデータ及びバナーページデータから構成されるページデータの中からバナーページデータを識別するバナーページデータ識別手段と、
前記印刷加工データに基づき前記ページデータに対して印刷加工処理する印刷加工処理部と、
前記バナーページデータ識別手段でバナーページであると識別されたページデータに対して前記印刷加工処理部による印刷加工処理を禁止し、原画像ページデータに対して前記印刷加工処理部による印刷加工処理を実行させる印刷加工処理制御手段と、
を備えてなることを特徴とする印刷システム。
【請求項６】
印刷ジョブデータを受け付けて、前記印刷ジョブデータに基づき印刷加工処理する印刷加工処理部及び用紙に画像を印刷する印刷処理部を有する印刷装置において、
バナー識別子を含むバナーページデータ及び原画像ページデータとから構成されるページデータ並びに印刷加工データを含む印刷ジョブデータを受け付ける印刷ジョブデータ受付手段と、
前記印刷ジョブデータ受付手段で受け付けた印刷ジョブデータに含まれる前記ページデータの中から前記バナー識別子を含むバナーページデータを識別するバナーページデータ識別手段と、
前記印刷加工データに基づき前記ページデータに対して印刷加工処理する印刷加工処理部と、
前記バナーページデータ識別手段でバナーページであると識別されたページデータに対して前記印刷加工処理部による印刷加工処理を禁止し、原画像ページデータに対して前記印刷加工処理部による印刷加工処理を実行させる印刷加工処理制御手段と、
を備えてなることを特徴とする印刷装置。
【発明の詳細な説明】
【技術分野】
【０００１】
本発明は、印刷システム及び印刷システムに適用するデジタル複合機やプリンタなどの印刷装置に関する。
【背景技術】
【０００２】
原稿の画像データやネットワークを介して接続されたパーソナルコンピュータ等の情報処理装置からの画像データ等の原画像データに基づいて用紙に画像を印刷し、印刷された用紙を複数枚束ねてステープル処理等のフィニッシング処理する機能を有する印刷装置はよく知られている（例えば、特許文献１を参照。）。また、複数ページを１ページに縮小して印刷するＮアップ（Ｎｉｎ１）印刷機能を有する印刷装置もよく知られている（例えば、特許文献２を参照）。
【０００３】
一方、従来、印刷出力結果を印刷ジョブ毎に仕分ける方法として、印刷ジョブ毎にバナーページを用紙に印刷して挿入する方法が提案されている。多くの印刷装置は、パーソナルコンピュータ等の情報処理装置で実行されるプリンタドライバプログラムで予めバナーページデータを生成して印刷装置に転送するか、印刷装置自身にバナーページデータを生成する機能を持たせるなどして、バナーページの印刷を実現している。しかしながら、ステープル処理やパンチ処理等のフィニッシング処理の実行が印刷装置に指定された場合に、上記従来の方法では、原画像データに係る画像が印刷された用紙と一緒にバナーページもステープル処理やパンチ処理がされてしまうという問題を生じていた。
【０００４】
この問題を解決するために、バナーページの印刷ジョブと印刷データの印刷ジョブを、それぞれ独立した別個の印刷ジョブとして同一の印刷装置に連続して割り当てるジョブ割当手段を具備する印刷制御装置が提案されている（例えば、特許文献３を参照。）。具体的には、特許文献３に記載の技術は、バナーページ指定時に、原画像データに係る印刷ジョブとは別にバナーページ用の印刷ジョブを生成している。これにより、原画像データに係る印刷ジョブにステープル処理の指示があった場合でも、バナーページは原画像データに係る印刷ジョブとは別のジョブとなるので、原画像データに係る画像が印刷された用紙と一緒にバナーページがステープル処理されることを防いでいる。
【特許文献１】特許第３１４２４４９号公報
【特許文献２】特許第３０９７３６６号公報
【特許文献３】特開２００３−５８３３９号公報
【発明の開示】
【発明が解決しようとする課題】
【０００５】
バナーページは、原画像データに係る画像が印刷された用紙の先頭のページ又は末尾のページに出力されるものであり、本来は原画像データに係る印刷ジョブとバナーページ用の印刷ジョブは１つのジョブとして処理すべきものである。特許文献３に記載の技術では、これを２つのジョブにしているため、印刷装置に連続的にジョブを割り当てることが必要であり、印刷ジョブのキャンセルや他の印刷ジョブの割り込みを防ぐための管理手段を必要とし、且つ複雑な制御処理を要するという問題がある。
【０００６】
本発明は上記のような課題を解決するためのものであり、その目的は、Ｎアップ処理やステープル処理等のフィニッシング処理を含む印刷加工処理の実行が指定されている場合であっても、バナーページに対してはＮアップ処理やフィニッシング処理等の印刷加工処理の実行は行わず、原画像データに基づく画像に対してのみＮアップ処理や、原画像データに係る画像が印刷された用紙に対してのみ、フィニッシング処理等の印刷加工処理を施すことができる印刷システム及び印刷装置を提供することにある。
【０００７】
より具体的には、印刷ジョブの管理手段を設ける等の複雑な制御処理を必要とすることなく、バナーページ出力指定時には、フィニッシング処理（例えば、ステープル処理）の指定があった場合でも、バナーページデータに基づく画像が印刷された用紙に対してはフィニッシング処理（例えば、ステープル処理）せず、原画像データに基づく画像が印刷された用紙だけをフィニッシング処理（例えば、ステープル処理）することができる機能を備えた印刷システム及び印刷装置を提供することにある。
【０００８】
また、バナーページ出力指定時には、Ｎアップ処理が指定された場合でも、バナーページデータに基づく画像が印刷された用紙はＮアップされず、原画像データに基づく画像だけをＮアップする機能を備えた印刷システム及び印刷装置を提供することにある。
【課題を解決するための手段】
【０００９】
請求項１に記載の印刷システムは、印刷ジョブデータを生成し、前記印刷ジョブデータに基づき用紙に画像を印刷し、且つ画像が印刷された用紙に対しフィニッシング処理する印刷システムにおいて、
原画像ページデータ及びフィニッシング処理データを含む印刷ジョブデータを生成する印刷ジョブデータ生成手段と、
前記印刷ジョブデータに対応する、バナーページ識別子を含むバナーページデータを生成するバナーページデータ生成手段と、
前記印刷ジョブデータに前記バナーページデータ生成手段で生成したバナーページデータを挿入するバナーページデータ挿入手段と、
前記バナーページデータが挿入された印刷ジョブデータを受け付けて画像を印刷する印刷処理部と、
前記印刷処理部に受け付けられた印刷ジョブデータに含まれる原画像ページデータ及びバナーページデータから構成されるページデータの中からバナーページデータを識別するバナーページデータ識別手段と、
前記フィニッシング処理データに基づき前記画像が印刷された用紙に対しフィニッシング処理するフィニッシング処理部と、
前記バナーページデータ識別手段でバナーページであると識別されたページデータに基づく画像が印刷された用紙に対して前記フィニッシング処理部によるフィニッシング処理を禁止し、原画像ページデータに基づく画像が印刷された用紙に対して前記フィニッシング処理部によるフィニッシング処理を実行させるフィニッシング処理制御手段と、を備えてなることを特徴とする。
【００１０】
請求項２に記載の印刷システムは、請求項１に記載の印刷システムにおいて、前記フィニッシング処理部は、前記画像が印刷された用紙に対しステープル処理するものであり、前記フィニッシング処理制御手段は、前記フィニッシング処理部によるステープル処理を制御することを特徴とする。
【００１１】
請求項３に記載の印刷装置は、印刷ジョブデータを受け付けて、前記印刷ジョブデータに基づき用紙に画像を印刷する印刷処理部及び画像が印刷された用紙に対してフィニッシング処理するフィニッシング処理部を有する印刷装置において、
バナー識別子を含むバナーページデータ及び原画像ページデータとから構成されるページデータ並びにフィニッシング処理データを含む印刷ジョブデータを受け付ける印刷ジョブデータ受付手段と、
前記印刷ジョブデータ受付手段で受け付けた印刷ジョブデータに含まれるページデータの中から前記バナー識別子を含むバナーページデータを識別するバナーページデータ識別手段と、
前記バナーページデータ識別手段でバナーページであると識別されたページデータに基づく画像が印刷された用紙に対して前記フィニッシング処理部によるフィニッシング処理を禁止し、原画像ページデータに基づく画像が印刷された用紙に対して前記フィニッシング処理部によるフィニッシング処理を実行させるフィニッシング処理制御手段と、を備えてなることを特徴とする。
【００１２】
請求項４に記載の印刷装置は、請求項３に記載の印刷装置において、前記フィニッシング処理部は、前記画像が印刷された用紙に対しステープル処理するものであり、前記フィニッシング処理制御手段は、前記フィニッシング処理部によるステープル処理を制御することを特徴とする。
【００１３】
請求項５に記載の印刷システムは、印刷ジョブデータを生成し、前記印刷ジョブデータに基づき印刷加工処理及び用紙に画像を印刷する印刷システムにおいて、
原画像ページデータ及び印刷加工データを含む印刷ジョブデータを生成する印刷ジョブデータ生成手段と、
前記印刷ジョブデータに対応するバナーページ識別子を含むバナーページデータを生成するバナーページデータ生成手段と、
前記印刷ジョブデータに前記生成したバナーページデータを挿入するバナーページデータ挿入手段と、
前記バナーページデータが挿入された印刷ジョブデータを受け付けて画像を印刷する印刷処理部と、
前記印刷処理部に受け付けられた印刷ジョブデータに含まれる原画像ページデータ及びバナーページデータから構成されるページデータの中からバナーページデータを識別するバナーページデータ識別手段と、
前記印刷加工データに基づき前記ページデータに対して印刷加工処理する印刷加工処理部と、
前記バナーページデータ識別手段でバナーページであると識別されたページデータに対して前記印刷加工処理部による印刷加工処理を禁止し、原画像ページデータに対して前記印刷加工処理部による印刷加工処理を実行させる印刷加工処理制御手段と、を備えてなることを特徴とする。
【００１４】
請求項６に記載の印刷装置は、印刷ジョブデータを受け付けて、前記印刷ジョブデータに基づき印刷加工処理する印刷加工処理部及び用紙に画像を印刷する印刷処理部を有する印刷装置において、
バナー識別子を含むバナーページデータ及び原画像ページデータとから構成されるページデータ並びに印刷加工データを含む印刷ジョブデータを受け付ける印刷ジョブデータ受付手段と、
前記印刷ジョブデータ受付手段で受け付けた印刷ジョブデータに含まれる前記ページデータの中から前記バナー識別子を含むバナーページデータを識別するバナーページデータ識別手段と、
前記印刷加工データに基づき前記ページデータに対して印刷加工処理する印刷加工処理部と、
前記バナーページデータ識別手段でバナーページであると識別されたページデータに対して前記印刷加工処理部による印刷加工処理を禁止し、原画像ページデータに対して前記印刷加工処理部による印刷加工処理を実行させる印刷加工処理制御手段と、を備えてなることを特徴とする。
【発明の効果】
【００１５】
本発明によれば、原画像ページデータ及び印刷加工データを含む印刷ジョブデータに、生成した印刷ジョブデータに対応するバナーページ識別子を含むバナーページデータを挿入し、１つの印刷ジョブデータとしたので、印刷ジョブのキャンセルや他の印刷ジョブの割り込みを防ぐための管理手段を必要とせず、且つ複雑な制御処理をすることなく、印刷ジョブのキャンセルや他の印刷ジョブの割り込み等の処理が容易にできる。
【００１６】
また、バナーページデータにはバナーページ識別子を含ませているので、フィニッシング処理（例えば、ステープル処理）の指定があった場合でも、バナーページデータに基づく画像が印刷された用紙に対しては、印刷加工処理の一態様であるフィニッシング処理（例えば、ステープル処理）を実行させず、原画像データに基づく画像が印刷された用紙だけのフィニッシング処理（例えば、ステープル処理）を実行させることができる。
【００１７】
また、印刷加工処理の別の態様であるＮアップ処理の指定があった場合でも、バナーページデータに基づく画像が印刷された用紙についてはＮアップせず、原画像データに基づく画像だけについてＮアップを実行させることができる。
【発明を実施するための最良の形態】
【００１８】
以下、図面に基づき本発明の実施の形態を説明する。
【００１９】
図２は、本発明の印刷装置の一実施の形態に係るデジタル複合機１０を含む印刷システム１の構成を示している。デジタル複合機１０は、原稿画像を読み取るスキャナ機能、原稿画像を読み取ってその原稿に対応する画像を用紙上に印刷するコピー機能、パーソナルコンピュータ等の情報処理装置からの画像データを受け付けて画像データに対応する画像を用紙上に印刷する印刷機能、原稿画像を送受信するファクシミリ機能などを備えている。
【００２０】
デジタル複合機１０は、ＬＡＮ（ローカル・エリア・ネットワーク）などのネットワーク２に接続されている。ネットワーク２にはパーソナルコンピュータ４や各種サーバ６などの情報処理装置が接続されている。デジタル複合機１０は、ネットワーク２を通じてパーソナルコンピュータ４から受信した処理要求に従って各種のジョブを実行する機能を有している。
【００２１】
デジタル複合機１０は、フィニッシング処理部１７を備えている。ユーザーの指示に基づき、画像が印刷された用紙を束ねてステープル処理する機能を有する。
【００２２】
図３は、フィニッシング処理部１７の概略を示す構成図である。フィニッシング処理部１７は、ステープルユニット１７１、搬送路１７２、スタッカ１７３、排紙トレイ１７４を備えている。ステープル処理を実行するモードの場合は、画像が印刷された用紙は搬送路１７２を搬送され、スタッカ１７３上に所定の枚数が集積される。所定の枚数が集積された用紙は、ステープルユニット１７１によりステープル処理され、スタッカ１７３を左上方に上昇して排紙トレイ１７４に排出される。ステープル処理を実行しないモードの場合は、画像が印刷された用紙はスタッカ１７３に集積されることなく、搬送路１７２を経て排紙トレイ１７４に排出される。
【００２３】
図１は、デジタル複合機１０の構成を示すブロック図である。デジタル複合機１０は、その動作を統括制御する制御部２０を備え、バスを通じて画像入力部１１、画像処理部１２、画像記憶部１３、印刷処理部１４、操作部１５、ネットワーク通信部１６、フィニッシング処理部１７、ＦＡＸモデム部１８が接続されている。
【００２４】
制御部２０は、図示しないＣＰＵ（中央処理装置）、ワークメモリ等から構成され、ＲＯＭ（リード・オンリーメモリ）に記憶されているプログラムをワークメモリに呼び出し、このプログラムに従って、画像入力部１１、画像処理部１２、画像記憶部１３、印刷処理部１４、操作部１５、ネットワーク通信部１６、フィニッシング処理部１７、ＦＡＸモデム部１８の各部を集中制御する。
【００２５】
画像入力部１１は、原稿画像を読み取って対応する原画像データを取り込む機能を有する。画像入力部１１は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えたスキャナとして構成されている。ラインイメージセンサは例えばＣＣＤ（Ｃｈａｒｇｅ  Ｃｏｕｐｌｅｄ  Ｄｅｖｉｃｅ）で構成される。ラインイメージセンサが出力するアナログ画像信号はＡ／Ｄ変換され、デジタルの原画像データとして取り込まれる。
【００２６】
画像処理部１２は、原画像データを圧縮・伸張する機能や、画像を拡大・縮小する機能、画像を回転させる機能などを有する。画像記憶部１３は、圧縮された原画像データなどを格納するための大容量の記憶装置である。ここでは、ハードディスク装置（ＨＤＤ）を使用している。
【００２７】
印刷処理部１４は、原画像データなどに対応する画像を電子写真プロセスによって用紙上に印刷して出力する機能を有する。印刷処理部１４は、用紙の搬送装置と、感光体ドラムと、帯電装置と、レーザーユニットと、現像装置と、転写分離装置と、クリーニング装置と、定着装置とを有する、いわゆるレーザープリンタとして構成される。
【００２８】
操作部１５は、表面にタッチパネルを備えた液晶ディスプレイと各種の操作スイッチから構成され、ユーザーに各種の案内表示や状態表示を行ったり、ユーザーから各種の操作を受け付けたりする機能を有する。ネットワーク通信部１６は、ネットワーク２とのインターフェイス機能を有する。フィニッシング処理部１７については、前記した通りである。ＦＡＸモデム部１８は、ファクシミリ送受信を行うための通信機能を有し、公衆回線に接続される。
【００２９】
制御部２０は、印刷ジョブデータ受付手段２０１と、バナーページデータ識別手段２０２と、フィニッシング処理制御手段２０３としての機能を有する。印刷ジョブデータ受付手段２０１は、ＬＡＮ（ローカル・エリア・ネットワーク）などのネットワーク２に接続されているパーソナルコンピュータ４から転送されてくる印刷ジョブデータをネットワーク通信部１６を介して、受け付ける機能を有する。この実施形態では、パーソナルコンピュータ４から転送されてくる印刷ジョブデータは、バナー識別子を含むバナーページデータ及び原画像ページデータを含むものであるが、その詳細は図５を参照して説明する。
【００３０】
バナーページデータ識別手段２０２は、印刷ジョブデータ受付手段２０１が受け付けた印刷ジョブデータの中から、バナー識別子を含むバナーページデータを識別する機能を有する。フィニッシング処理制御手段２０３は、バナーページデータ識別手段２０２によりバナーページであると識別されたページデータに基づく画像が印刷された用紙に対してフィニッシング処理部１７によるステープル処理を禁止し、原画像ページデータに基づく画像が印刷された用紙に対してフィニッシング処理部１７によるステープル処理を実行させる機能を有する。
【００３１】
図４は、パーソナルコンピュータ４の構成を示すブロック図である。パーソナルコンピュータ４は、その動作を統括制御する制御部３０を備え、バスを通じて記憶部２１、操作部２２、ネットワーク通信部２３が接続されている。制御部３０は、図示しないＣＰＵ（中央処理装置）、ワークメモリ等から構成され、ＲＯＭ（リード・オンリーメモリ）に記憶されているプログラムをワークメモリに呼び出し、このプログラムに従って、記憶部２１、操作部２２、ネットワーク通信部２３の各部を集中制御する。
【００３２】
記憶部２１は、パーソナルコンピュータ４で作成したデータやサーバ６から取り込んだデータ等の原画像データ及び原画像ページ加工データを格納する大容量の記憶装置である。ここでは、ハードディスク装置を使用している。ユーザーは操作部２２を操作してパーソナルコンピュータ４に実行命令を指示する。ネットワーク通信部２３はネットワーク２を通じて各種サーバ６、デジタル複合機１０に接続している。
【００３３】
制御部３０は、バナーページデータ生成手段３０１、バナーページデータ挿入手段３０２、印刷ジョブデータ生成手段３０３、印刷ジョブデータ転送手段３０４として機能する。
【００３４】
図５は、印刷ジョブデータの一実施形態を説明する概念図である。この実施形態では、印刷ジョブデータ４０は、パーソナルコンピュータ４で生成される。印刷ジョブデータ４０には、フィニッシング処理データ４１と原画像ページデータ４２が含まれている。フィニッシング処理データ４１には、画像が印刷された用紙を束ねてステープル処理を実行せよという意味のステープル＝Ｙｅｓ４１１とパンチは不要であるという意味のパンチ＝Ｎｏ４１２が指定されている。
【００３５】
また、原画像ページデータ４２は、パーソナルコンピュータ４の記憶部２１から読み出した原画像データ４２１、４２２、４２３及びそれぞれの原画像データに対応する原画像ページ加工データ４２１１、４２２１、４２３１から構成されている。原画像ページ加工データ４２１１、４２２１、４２３１のそれぞれにはバナーページデータではないことを意味するバナーページ＝Ｎｏ４２１１ａ、４２２１ａ、４２３１ａを表示している。
【００３６】
バナーページデータとは、印刷ジョブのユーザー名やファイル名等のジョブデータを識別するデータが記載されたページデータである。
【００３７】
ユーザーが、パーソナルコンピュータ４の操作部２２からバナーページの印刷を指定することにより、パーソナルコンピュータ４の制御部３０が、バナーページデータ生成手段３０１として機能し、印刷ジョブデータ４０に対応するバナーページ識別子を含むバナーページデータ５１を生成する。生成したバナーページデータ５１は、バナー画像データ５１１とそれに対応するバナーページ加工データ５１１１から構成されている。バナーページ加工データ５１１１には、バナーページ識別子が含まれているのでバナーページ＝Ｙｅｓ５１１１ｂを表示している。
【００３８】
次いで、パーソナルコンピュータ４の制御部３０は、バナーページデータ挿入手段３０３として機能し、生成したバナーページデータ５１を原画像ページデータ４２の先頭に挿入する。このようにして、原画像ページデータ４２とバナーページデータ５１を１つの印刷ジョブデータ５０とする。
【００３９】
図６は、本発明に係る印刷システム１における印刷ジョブの実行を示すフローチャートである。ユーザーが、パーソナルコンピュータ４を操作し、バナーページの印刷を指定して、バナーページデータに対応する画像が印刷された用紙はステープル処理させずに、原画像データに対応する画像のみを複数枚束ねてステープル処理させて印刷装置１０から出力させるという指示を出すということを想定している。
【００４０】
パーソナルコンピュータ４の制御部３０は、印刷ジョブデータ生成手段３０３として機能し、パーソナルコンピュータ４の記憶部２１から原画像ページデータ４２を読み出し、操作部２２から指示されたフィニッシング処理データ４１を含む印刷ジョブデータ４０を生成する（ステップＳ６１）。バナーページの印刷が指定されているので、バナーページデータ５１を生成すると共に、印刷ジョブデータ４０に生成したバナーページデータ５１を挿入して印刷ジョブデータ５０を生成する（ステップＳ６２）。ステップＳ６２については、図７を参照してその処理の流れを説明する。続いて、パーソナルコンピュータ４の制御部３０は、印刷ジョブデータ転送手段３０４として機能し、バナーページデータが挿入された印刷ジョブデータ５０をネットワーク２に接続されている印刷装置１０に転送する（ステップＳ６３）。
【００４１】
印刷装置１０の制御部２０は、印刷ジョブデータ受付手段２０１として機能し、パーソナルコンピュータ４から転送されてきたバナーページデータが挿入された印刷ジョブデータ５０を受け付ける（ステップＳ６４）。受け付けた印刷ジョブデータ５０は印刷制御処理される（ステップＳ６５）。ステップＳ６５については、図８及び図９を参照してその処理の流れを説明する。
【００４２】
図７は、図６のステップＳ６２に示したバナーページデータが挿入された印刷ジョブデータ５０の生成の流れを示すフローチャートである。ユーザーからバナーページの印刷が指定されている場合（ステップＳ７１；ｙｅｓ）、パーソナルコンピュータ４の制御部３０は、バナーページデータ生成手段３０１として機能し、ネットワーク通信部２３とネットワーク２を通して接続されているサーバ６から、印刷ジョブデータ４０に対応するユーザー名やファイル名を取得する。取得したユーザー名やファイル名をバナーページに埋め込んだ１ページのバナー画像データ５１１として生成すると共に、バナーページ識別子を含むバナーページ加工データ５１１１から構成されるバナーページデータ５１を生成する（ステップＳ７２）。図６では、バナーページ＝Ｙｅｓ５１１１ｂと表示している。
【００４３】
次いで、パーソナルコンピュータ４の制御部３０は、バナーページデータ挿入手段３０２として機能し、印刷ジョブデータ４０に含まれる原画像ページデータ４２の先頭に、生成したバナーページデータ５１を挿入する（ステップＳ７３）。次に、図６のステップＳ６３に戻る。
【００４４】
ステップＳ７３で、印刷ジョブデータ４０に対応するステップＳ７２で生成したバナーページデータ５１を印刷ジョブデータ４０に挿入し、原画像ページデータ４２とバナーページデータ５１が合体された１つの印刷ジョブデータ５０とした。ステップＳ６３で、この合体された印刷ジョブデータ５０を印刷装置１０に転送するので、印刷装置１０での印刷ジョブ中におけるキャンセルや他の印刷ジョブの割り込み等の処理が容易となる。
【００４５】
ステップＳ７３では、バナーページデータ５１を原画像ページデータ４２の先頭に挿入したが、原画像ページデータ４２の末尾に挿入してもよい。
【００４６】
図８は、図６のステップＳ６５に示した印刷制御処理の一実施形態を示すフローチャートである。印刷処理部１４に受け付けられた印刷ジョブデータの中に、バナー識別子がない場合（ステップＳ８１；ｎｏ）、すなわち、印刷ジョブデータがバナーページデータ５１を含まない場合は、印刷処理部１４で原画像ページデータ４２の末尾から先頭（原画像データ４２３、４２２、４２１の順）に向けて印刷処理される（ステップＳ８２）。原画像データ（原画像データ４２３、４２２、４２１）に対応する画像が印刷された用紙は、フィニッシング処理部１７に搬送される（ステップＳ８３）。
【００４７】
フィニッシング処理部１７に搬送された原画像データ（原画像データ４２３、４２２、４２１）に対応する画像が印刷された用紙は、搬送路１７２を搬送されスタッカ１７３上に所定の枚数が集積される。所定の枚数が集積された用紙は、ステープルユニット１７１によりステープル処理される（ステップＳ８４）。次いで、ステープル処理された用紙は、スタッカ１７３を左上方に上昇して排紙トレイ１７４に排出される（ステップＳ８５）。
【００４８】
印刷処理部１４に受け付けられた印刷ジョブデータの中に、バナー識別子がある場合（ステップＳ８１；ｙｅｓ）、すなわち、印刷ジョブデータがバナーページデータ５１を含む場合は、印刷処理部１４で原画像ページデータ４２の末尾から先頭（原画像データ４２３、４２２、４２１の順）に向けて印刷処理される、最後にバナー画像データ５１１に対応するバナー画像が印刷処理される（ステップＳ８６）。
【００４９】
原画像データ（原画像データ４２３、４２２、４２１）に対応する画像が印刷された用紙は、フィニッシング処理部１７に搬送される（ステップＳ８７）。フィニッシング処理部１７に搬送された原画像データ（原画像データ４２３、４２２、４２１）に対応する画像が印刷された用紙は、搬送路１７２を搬送されスタッカ１７３上に所定の枚数が集積される。所定の枚数が集積された用紙は、ステープルユニット１７１によりステープル処理される（ステップＳ８８）。次いで、ステープル処理された用紙は、スタッカ１７３を左上方に上昇して排紙トレイ１７４に排出される（ステップＳ８９）。次いで、バナー画像データ５１１に対応するバナー画像が印刷された用紙（以下、特に断りのない限り、バナーページという）が搬送路１７２を経て排紙トレイ１７４に排出される（ステップＳ９０）。
【００５０】
排紙トレイ１７４では、バナーページが印刷面を上向きにして一番上に、次いで原画像データに対応する画像（原画像データ４２３、４２２、４２１）が印刷された用紙が１ページ目から順にステープルで綴じられた状態で印刷面を上向きにして排出されている。
【００５１】
なお、図８の実施形態では、原画像ページデータの末尾から順に先頭に向けて印刷処理し、最後にバナーページデータを印刷処理するものであるが、最初にバナーページデータを印刷処理し、次いで原画像ページデータの先頭から末尾に向けて印刷処理させることもできる。この場合は、排紙トレイ１７４では、バナーページが印刷面を下向きにして一番下に、その上に原画像データ（原画像データ４２１、４２２、４２３）に対応する画像が印刷された用紙が１ページから順にステープルで綴じられた状態で印刷面を下向きにして排出させればよい。
【００５２】
以上の例では、印刷装置１０は、パーソナルコンピュータ４が生成した印刷ジョブデータを受け付ける実施形態を説明した。本発明においては、印刷装置１０の制御部２０に、バナーページデータ生成手段及び生成したバナーページデータを印刷ジョブに挿入する印刷ジョブ挿入手段などの機能を持たせることもできる。
【００５３】
次に、印刷加工処理の別の実施形態であるＮアップ処理の例を説明する。図９は、Ｎアップ処理の指定がされた印刷制御処理の一実施形態を示すフローチャートである。この実施形態は、１ページに４ページ分を印刷する４アップ処理の例である。バナーページデータが挿入された印刷ジョブデータの生成は、前記図７に示すフローチャートと同じである。
【００５４】
印刷処理部１４に受け付けられた印刷ジョブデータの中に、バナー識別子がない場合（ステップＳ９１；ｎｏ）、すなわち、印刷ジョブデータがバナーページデータ５１を含まない場合は、原画像データはＮアップ処理実行手段（図示せず）により、４アップ処理される（ステップＳ９２）。次いで、１ページに４ページ分の原画像データに対応する画像が印刷処理され（ステップＳ９３）。原画像データに対応する画像が印刷された用紙は、搬送路１７２を経て排紙トレイ１７４に排出される（ステップＳ９４）。
【００５５】
印刷処理部１４に受け付けられた印刷ジョブデータの中に、バナー識別子がある場合（ステップＳ９５；ｙｅｓ）、すなわち、印刷ジョブデータがバナーページデータ５１を含む場合は、バナー画像データに対応する画像は４アップ処理されることなく印刷処理される（ステップＳ９５）。次いで、バナーページは搬送路１７２を経て排紙トレイ１７４に排出される（ステップＳ９６）。バナー識別子を含まない原画像ページデータは４アップ処理される（ステップＳ９７）。次いで、４アップ処理された原画像データに対応する画像が印刷処理され（ステップＳ９８）、原画像データに対応する画像が印刷された用紙は搬送路１７２を経て排紙トレイ１７４に排出される（ステップＳ９９）。
【００５６】
なお、Ｎアップ処理においても、用紙が複数枚ある場合はステープル処理することもできる。この場合においても、バナー識別子が含まれているバナーページデータに基づく画像が印刷された用紙に対して、ステープル処理の実行を禁止する手段を機能させておくことにより、Ｎアップ処理に組み込まれていないバナーページはステープル処理されることはない。
【図面の簡単な説明】
【００５７】
【図１】本発明の実施の形態に係るデジタル複合機の構成を示すブロック図である。
【図２】本発明の印刷装置の一実施の形態に係るデジタル複合機を含む印刷システム構成を示す説明図である。
【図３】本発明の実施の形態に係るデジタル複合機のフィニッシング処理部の概略を示す構成図である。
【図４】パーソナルコンピュータの構成を示すブロック図である。
【図５】本発明に係る印刷ジョブデータの一実施形態を説明する概念図である。
【図６】本発明に係る印刷システムにおける印刷ジョブの実行を示すフローチャートである。
【図７】印刷ジョブデータの生成の一実施形態を示すフローチャートである。
【図８】印刷制御処理の一実施形態を示すフローチャートである。
【図９】印刷制御処理の別の実施形態を示すフローチャートである。
【符号の説明】
【００５８】
１  印刷システム
２  ネットワーク
４  パーソナルコンピュータ
６  サーバ
１０  デジタル複合機（印刷装置）
１１  画像入力部
１２  画像処理部
１３  画像記憶部
１４  印刷処理部
１５  操作部
１６  ネットワーク通信部
１７  フィニッシング処理部
１７１  ステープルユニット
１７２  搬送路
１７３  スタッカ
１７４  排紙トレイ
１８  ＦＡＸモデム部
２０  制御部
２０１  印刷ジョブデータ受付手段
２０２  バナーページデータ識別手段
２０３  フィニッシング処理制御手段
２１  記憶部
２２  操作部
２３  ネットワーク通信部
３０  制御部
３０１  バナーページデータ生成手段
３０２  バナーページデータ挿入手段
３０３  印刷ジョブデータ生成手段
３０４  印刷ジョブデータ転送手段
４０、５０  印刷ジョブデータ
４１  フィニッシング処理データ
４２  原画像ページデータ
５１  バナーページデータ
【図１】
2005250624.tif 000003
【図２】
2005250624.tif 000004
【図３】
2005250624.tif 000005
【図４】
2005250624.tif 000006
【図５】
2005250624.tif 000007
【図６】
2005250624.tif 000008
【図７】
2005250624.tif 000009
【図８】
2005250624.tif 000010
【図９】
2005250624.tif 000011